(57)【要約】【課題】設備を増大させることなく処理水に溶液を効果的に撹拌できる水処理装置を提供する。【解決手段】水処理装置１は、ベッセル２０に逆浸透膜エレメント２２を内挿してなる逆浸透膜モジュール１５と、複数の逆浸透膜モジュール１５の各ベッセル２０と連通して接続され、逆浸透膜エレメント２２を透過したろ過水が集合するヘッダ管１７とを有する逆浸透膜ユニット１１，１３と、ヘッダ管１７に水酸化ナトリウム水溶液を断続的に注入する注入装置３０とを備え、各ベッセル２０は、ヘッダ管１７の延在方向において所定の間隔をあけて接続されており、注入装置３０は、ヘッダ管１７におけるろ過水の流れの最下流側に接続されたベッセル２０の接続部分よりも上流側に設けられた注入部３４に接続されている。【選択図】図２
2014151282.tif 000002
【特許請求の範囲】
【請求項１】
筒状部材に分離膜を内挿してなる構造体と、
複数の前記構造体の各前記筒状部材と接続され、前記分離膜を透過したろ過水が集合するヘッダ管と、を有する分離膜ユニットを備える水処理装置であって、
前記ヘッダ管に溶液を断続的に注入する注入手段を備え、
各前記筒状部材は、前記ヘッダ管の延在方向において所定の間隔をあけて接続されており、
前記注入手段は、前記ヘッダ管における前記ろ過水の流れの最下流側に接続された前記筒状部材の接続部分よりも上流側に設けられた注入部に接続されていることを特徴とする水処理装置。
【請求項２】
前記ヘッダ管は、その延在方向の一端部が閉塞されていると共に他端部が開口しており、
前記注入部は、前記ヘッダ管の前記一端部側に設けられていることを特徴とする請求項１記載の水処理装置。
【請求項３】
前記注入部は、前記筒状部材の接続部分と対向する位置に設けられていることを特徴とする請求項２記載の水処理装置。
【請求項４】
前記注入部は、前記ヘッダ管における前記ろ過水の流れの最上流側に接続された前記筒状部材の接続部分と対向する位置に設けられていることを特徴とする請求項２又は３記載の水処理装置。
【請求項５】
前記ヘッダ管内には、前記注入部よりも下流側に、前記ろ過水の流れ方向に交差する面を有する板部材が配置されていることを特徴とする請求項２〜４のいずれか一項記載の水処理装置。
【請求項６】
前記注入部は、前記ヘッダ管内に配置されると共に前記ヘッダ管の前記一端部を閉塞する閉塞部に向かって開口していることを特徴とする請求項２〜５のいずれか一項記載の水処理装置。
【請求項７】
前記分離膜は、逆浸透膜、限外ろ過膜又は精密ろ過膜であることを特徴とする請求項１〜６のいずれか一項記載の水処理装置。
【請求項８】
請求項７に記載の水処理装置において、
前記分離膜ユニットを複数備え、
前記分離膜は逆浸透膜であり、
複数の前記分離膜ユニットは、直列に接続され、
前記注入部は、最終ろ過を行う前記分離膜ユニットを除く少なくとも１つの前記分離膜ユニットの前記ヘッダ管に設けられていることを特徴とする水処理装置。
【請求項９】
請求項７に記載の水処理装置において、
前記分離膜は逆浸透膜であり、
前記分離膜ユニットは第１の分離膜ユニット及び第２の分離膜ユニットを備えており、
前記第１の分離膜ユニットと前記第２の分離膜ユニットとが直列に接続されており、
前記注入部は、前記第１の分離膜ユニットの前記ヘッダ管に設けられていることを特徴とする水処理装置。
【請求項１０】
前記溶液がｐＨ調整液であることを特徴とする請求項１〜９のいずれか一項記載の水処理装置。
【請求項１１】
前記溶液が水酸化ナトリウム水溶液であることを特徴とする請求項１〜１０のいずれか一項記載の水処理装置。
【発明の詳細な説明】
【技術分野】
【０００１】
本発明は、水処理装置に関する。
【背景技術】
【０００２】
従来の水処理装置として、例えば特許文献１に記載されたものが知られている。特許文献１に記載の水処理装置では、第１の逆浸透膜ユニットと第２の逆浸透膜ユニットとを直列に接続し、第１の逆浸透膜ユニットと第２の逆浸透膜ユニットとの間で、処理水にｐＨを調整する化学処理剤の溶液を添加している。
【先行技術文献】
【特許文献】
【０００３】
【特許文献１】特開昭６１−４５９１号公報
【発明の概要】
【発明が解決しようとする課題】
【０００４】
上記従来の装置では、２つの逆浸透膜ユニットを接続する管に溶液を注入している。しかしながら、この構成では、連続的に流れる処理水に対して溶液を注入しているため、処理水に溶液が効果的に撹拌しないおそれがある。そこで、効果的に撹拌する方法としては、例えば第１の逆浸透膜ユニットから排出された処理水を貯留する貯留槽を設け、貯留槽において処理水に溶液を注入して撹拌する構成を採用できるが、この構成では、設備の増大が避けられない。また、処理水に対して溶液を断続的に注入した場合、処理水の流れ方向に対して溶液濃度のムラが生じるため、処理水中の溶液濃度を均一にすることができない。当該状況において、スタティックミキサー等の攪拌機を用いたとしても流れ方向に対して垂直方向には撹拌されるが、流れ方向に対しては十分に撹拌することができない。
【０００５】
本発明は、上記課題を解決するためになされたものであり、設備を増大させることなく処理水に溶液を効果的に撹拌できる水処理装置を提供することを目的とする。
【課題を解決するための手段】
【０００６】
本発明に係る水処理装置は、筒状部材に分離膜を内挿してなる構造体と、複数の構造体の各筒状部材と接続され、分離膜を透過したろ過水が集合するヘッダ管と、を有する分離膜ユニットを備える水処理装置であって、ヘッダ管に溶液を断続的に注入する注入手段を備え、各筒状部材は、ヘッダ管の延在方向において所定の間隔をあけて接続されており、注入手段は、ヘッダ管におけるろ過水の流れの最下流側に接続された筒状部材の接続部分よりも上流側に設けられた注入部に接続されていることを特徴とする。
【０００７】
この水処理装置では、ヘッダ管に溶液を断続的に注入する注入手段を備え、注入手段は、ヘッダ管におけるろ過水の流れの最下流側に接続された筒状部材の接続部分よりも上流側に設けられた注入部に接続されている。これにより、水処理装置では、注入部から注入された溶液は、筒状部材から流出されたろ過水と合流するときにろ過水の流れ方向及びこれに垂直な方向に撹拌される。したがって、水処理装置では、ヘッダ管において溶液を撹拌できる。その結果、水処理装置では、設備を増大させることなく処理水に溶液を効果的に撹拌できる。
【０００８】
一実施形態においては、注入部は、ヘッダ管におけるろ過水の流れの上流側に設けられていてもよい。これにより、水処理装置では、ろ過水の液流が比較的遅い位置から溶液を注入し、下流側に流れる間に、筒状部材から流出するろ過水との合流により溶液がろ過水の流れ方向及びこれに垂直な方向に撹拌されるため、より効果的に溶液を撹拌できる。
【０００９】
一実施形態においては、ヘッダ管は、その延在方向の一端部が閉塞されていると共に他端部が開口しており、注入部は、ヘッダ管の一端部側に設けられていてもよい。これにより、水処理装置では、ヘッダ管を閉塞する一端部側、すなわちろ過水の液流が比較的遅い位置から溶液を注入し、他端部側である下流側に流れる間に、筒状部材から流出するろ過水との合流により溶液がろ過水の流れ方向及びこれに垂直な方向に撹拌されるため、より効果的に溶液を撹拌できる。
【００１０】
一実施形態においては、ヘッダ管に注入部が接続された接続部分において、該接続部分よりも上流側のヘッダ管の内径が、該接続部分よりも下流側のヘッダ管の内径より大きくてもよい。これにより、該接続部分より上流側のヘッダ管内の流速が、該接続部分より下流側のヘッダ管内の流速に比べ遅くなるため、ろ過水の流れ方向及びこれに垂直な方向に対する撹拌をより促進させることができる。
【００１１】
一実施形態においては、注入部は、筒状部材の接続部分と対向する位置に設けられていてもよい。これにより、水処理装置では、筒状部材から流出するろ過水と溶液とが衝突するため、ろ過水の流れ方向及びこれに垂直な方向に溶液をより効果的に撹拌できる。
【００１２】
一実施形態においては、注入部は、ヘッダ管におけるろ過水の流れの最上流側に接続された筒状部材の接続部分と対向する位置に設けられていてもよい。これにより、水処理装置では、ろ過水の液流が比較的遅い位置において、筒状部材から流出するろ過水と溶液とが衝突するため、ろ過水の流れ方向及びこれに垂直な方向に溶液をより効果的に撹拌できる。
【００１３】
一実施形態においては、ヘッダ管内には、注入部よりも下流側に、ろ過水の流れ方向に交差する面を有する板部材が配置されていてもよい。これにより、水処理装置では、板部材に溶液が衝突することにより、ろ過水の流れ方向及びこれに垂直な方向に撹拌が促進される。
【００１４】
一実施形態においては、注入部は、ヘッダ管内に配置されると共にヘッダ管の一端部を閉塞する閉塞部に向かって開口していてもよい。これにより、水処理装置では、閉塞部に溶液が衝突することにより、ろ過水の流れ方向及びこれに垂直な方向に撹拌が促進される。
【００１５】
一実施形態においては、ヘッダ管の下流にスタティックミキサー等の攪拌機を設けてもよい。これにより、ろ過水の流れ方向に垂直な方向に対する撹拌をより促進させることができる。
【００１６】
一実施形態においては、分離膜は、逆浸透膜、限外ろ過膜又は精密ろ過膜である。逆浸透膜では、水に含まれる炭酸水素イオン（ＨＣＯ３−）をほとんど透過させないと共に、二酸化炭素（ＣＯ２）を透過させるため、ろ過水のｐＨの値が低くなる。したがって、逆浸透膜に供給されるろ過水のｐＨを調整するためのｐＨ調整剤を含む溶液を注入する場合には、上記の構成が特に有効である。また、限外ろ過膜又は精密ろ過膜では、ろ過水のｐＨを調整するためにｐＨ調整剤を含む溶液を注入する場合に、上記の構成が有効である。
【００１７】
一実施形態においては、分離膜ユニットを複数備え、分離膜は逆浸透膜であり、複数の分離膜ユニットは、直列に接続され、注入部は、最終ろ過を行う分離膜ユニットを除く少なくとも１つの分離膜ユニットのヘッダ管に設けられていてもよい。これにより、水処理装置では、注入装置を有する分離膜ユニットのろ過水にｐＨ調整剤を含む溶液を注入し、効果的に撹拌することができるため、当該ろ過水が供給される分離膜ユニットに供給されるろ過水のｐＨの値を好適に調整できる。そのため、水処理装置では、当該ろ過水が供給される分離膜ユニットのろ過水中の二酸化炭素濃度を調整できるため導電率を調整できる。
【００１８】
一実施形態においては、分離膜は逆浸透膜であり、分離膜ユニットは第１の分離膜ユニット及び第２の分離膜ユニットを備えており、第１の分離膜ユニットと第２の分離膜ユニットとが直列に接続されており、注入部は、第１の分離膜ユニットのヘッダ管に設けられていてもよい。これにより、水処理装置では、第１の分離膜ユニットのろ過水にｐＨ調整剤を含む溶液をろ過水の流れ方向及びこれに垂直な方向に効果的に撹拌できるため、第２の分離膜ユニットに供給されるろ過水のｐＨの値を好適に調整できる。そのため、水処理装置では、第２の分離膜ユニットによりろ過されたろ過水中の二酸化炭素濃度を調整できるため導電率を調整できる。
【００１９】
一実施形態においては、溶液がｐＨ調整液である。このｐＨ調整液は、水酸化ナトリウム水溶液であってもよい。
【発明の効果】
【００２０】
本発明によれば、設備を増大させることなくろ過水の流れ方向及びこれに垂直な方向に溶液を効果的に撹拌できる。
【図面の簡単な説明】
【００２１】
【図１】一実施形態に係る水処理装置を示す図である。
【図２】逆浸透膜ユニットを示す図である。
【図３】枝管とヘッダ管との断面構成を示す図である。
【図４】ヘッダ管での水酸化ナトリウム水溶液の撹拌を模式的に説明する図である。
【図５】ｐＨと種組成との関係を示すグラフである。
【図６】他の実施形態に係る水処理装置の枝管とヘッダ管との断面構成を示す図である。
【図７】他の実施形態に係る水処理装置の枝管とヘッダ管との断面構成を示す図である。
【図８】他の実施形態に係る水処理装置の枝管とヘッダ管との断面構成を示す図である。
【発明を実施するための形態】
【００２２】
以下、添付図面を参照して、本発明の好適な実施形態について詳細に説明する。なお、図面の説明において同一又は相当要素には同一符号を付し、重複する説明は省略する。
【００２３】
図１は、一実施形態に係る水処理装置を示す図である。図１に示す水処理装置１は、所定の導電率（例えば、２．５ｍＳ／ｃｍ）を有する処理水を生成する装置である。図１に示すように、水処理装置１は、第１貯留タンク３と、脱炭酸槽５と、逆浸透膜ユニット群（分離膜ユニット群）７と、第２貯留タンク９と、を備えている。
【００２４】
第１貯留タンク３は、処理対象となる被処理水Ｗを貯留するタンクである。本実施形態では、被処理水Ｗは水道水（浄化水）である。第１貯留タンク３は、搬送ラインＬ１に設けられたポンプＰ１により脱炭酸槽５に被処理水Ｗを供給する。
【００２５】
脱炭酸槽５は、被処理水に含まれる二酸化炭素成分を減少させる。脱炭酸槽５は、被処理水Ｗに例えば気曝処理を施し、被処理水Ｗ中の二酸化炭素を除去する。脱炭酸槽５は、二酸化炭素を減少させた被処理水Ｗを搬送ラインＬ２に設けられたポンプＰ２により逆浸透膜ユニット群７に供給する。
【００２６】
逆浸透膜ユニット群７は、第１の逆浸透膜ユニット（分離膜ユニット）１１及び第２の逆浸透膜ユニット（分離膜ユニット）１３により構成されている。第１の逆浸透膜ユニット１１と第２の逆浸透膜ユニット１３とは、搬送ラインＬ３により直列に接続されている。すなわち、第１の逆浸透膜ユニット１１から排出された処理水は、ポンプＰ３により第２の逆浸透膜ユニット１３に供給される。
【００２７】
図２は、逆浸透膜ユニットを示す図である。図２に示すように、第１及び第２の逆浸透膜ユニット１１，１３のそれぞれは、複数（例えば、１４本）の逆浸透膜モジュール（構造体）１５と、これら複数の逆浸透膜モジュール１５が並列に接続されるヘッダ管１７と、を備えている。
【００２８】
逆浸透膜モジュール１５は、ベッセル（筒状部材）２０と、ベッセル２０に内挿された逆浸透膜エレメント２２と、を有している。ベッセル２０は、逆浸透膜エレメント２２を収容する中空の管である。逆浸透膜エレメント２２は、逆浸透膜により構成されている。逆浸透膜エレメント２２は、ベッセル２０内において例えば複数（例えば３本又は４本）直列に接続されている。
【００２９】
逆浸透膜モジュール１５のベッセル２０は、枝管２４を介して、ヘッダ管１７に接続されている。逆浸透膜モジュール１５は、ヘッダ管１７の延在方向において所定の間隔（本実施形態では、例えば３００ｍｍ程度）をあけてヘッダ管１７に接続されている。
【００３０】
ヘッダ管１７は、逆浸透膜モジュール１５を透過したろ過水が集合する管である。ヘッダ管１７には、注入装置（注入手段）３０が接続されている。注入装置３０は、例えばダイアフラムポンプであり、一定量の溶液（ｐＨ調整液）を断続的に注入する。本実施形態では、注入装置３０は、ヘッダ管１７内に溶液として水酸化ナトリウム水溶液（ｐＨ：１４程度）を注入する。
【００３１】
注入装置３０は、搬送ラインＬ３に設けられたｐＨ計測器４０により計測されるｐＨの値に基づいて、水酸化ナトリウム水溶液の注入量を制御する。具体的には、注入装置３０は、ｐＨ計測器４０により計測された処理水のｐＨの値と、予め設定された逆浸透膜ユニット１３に供給される処理水のｐＨの値（本実施形態では、例えば８〜８．５）とに基づいて、水酸化ナトリウム水溶液の注入間隔を設定する。すなわち、注入装置３０は、逆浸透膜ユニット１３に供給される処理水のｐＨが例えば８〜８．５となるように、水酸化ナトリウム水溶液の注入量を制御する。
【００３２】
注入装置３０は、枝管３２を介してヘッダ管１７に接続されている。図３は、枝管とヘッダ管との断面構成を示す図である。図３に示すように、注入装置３０に接続される枝管３２は、ヘッダ管１７におけるろ過水の流れの最下流側に接続された枝管２４の接続部分よりも上流側に設けられており、本実施形態ではヘッダ管１７の閉塞された一端部側に配置されている。具体的には、枝管３２は、閉塞部１７ａの最も近傍に設けられた逆浸透膜モジュール１５に接続される枝管２４と対向する位置に配置されている。すなわち、水酸化ナトリウム水溶液の注入部３４は、逆浸透膜モジュール１５に接続される枝管２４と対向する位置に配置されている。これにより、注入装置３０により注入される水酸化ナトリウム水溶液は、枝管２４から流入するろ過水と衝突し、ろ過水の流れ方向に対しても撹拌が促進される。
【００３３】
図４は、ヘッダ管での水酸化ナトリウム水溶液の撹拌を模式的に説明する図である。図４では、ヘッダ管１７に枝管２４（逆浸透膜モジュール１５）が７本接続されている。図４に示す例では、注入装置３０は、一回の水酸化ナトリウム水溶液の注入量が例えば０．０２５ｍｌであり、注入間隔が例えば１分間に９６回である。注入装置３０から注入される水酸化ナトリウム水溶液は、例えば濃度が３．３０％程度であり、ヘッダ管１７内の最上流のろ過水の流速は、例えば３９０ｍｍ／ｓｅｃ程度である。
【００３４】
注入された水酸化ナトリウム水溶液は、上流側から下流側に流れる間に流れ方向に撹拌する。具体的には、上流側の領域Ａ１では、ろ過水の流速は例えば９００ｍｍ／ｓｅｃであり、水酸化ナトリウム水溶液の濃度が例えば１．６５％程度となる。領域Ａ２では、ろ過水の流速が例えば１５００ｍｍ／ｓｅｃ程度であり、水酸化ナトリウム水溶液の濃度が例えば１．１０％程度となる。そして、ヘッダ管１７の最下流側の領域Ａ３では、ろ過水の流速が例えば２７００ｍｍ／ｓｅｃであり、水酸化ナトリウム水溶液の濃度が例えば０．４７％程度である。このように、ろ過水に注入された水酸化ナトリウム水溶液は、上流から下流に向かうにつれて、枝管２４から流出されるろ過水との合流によりろ過水の流れ方向に対しても撹拌される。水酸化ナトリウム水溶液が注入されたろ過水は、第２の逆浸透膜ユニット１３に供給される。
【００３５】
図１に戻って、第２の逆浸透膜ユニット１３は、ｐＨが８〜８．５に調整された第１の逆浸透膜ユニット１１のろ過水が供給される。第２の逆浸透膜ユニット１３は、ろ過した処理水ＴＷを搬送ラインＬ４を介して第２貯留タンク９に供給する。第２の逆浸透膜ユニット１３によりろ過された処理水ＴＷは、例えば２．５ｍＳ／ｃｍ以下の導電率を有している。
【００３６】
第２貯留タンク９は、処理された処理水ＴＷを貯留する。第２貯留タンク９に貯留される処理水ＴＷは、例えば半導体製品の洗浄液として使用される。
【００３７】
続いて、本実施形態の水処理装置１の作用効果を説明する。本実施形態の水処理装置１では、逆浸透膜モジュール１５により被処理水Ｗをろ過している。逆浸透膜モジュール１５によりろ過されたろ過水は、原水よりもｐＨの値が低下する。これは、逆浸透膜が、被処理水Ｗに含まれる炭酸水素イオンをほとんど透過させないと共に、二酸化炭素を透過させる性質を有しているためである。二酸化炭素が多く且つ炭酸水素イオンが少ない被処理水は、図５に示すように、ｐＨの値が低くなる。図５では、横軸はｐＨを示しており、縦軸は種組成を示している。
【００３８】
本実施形態の水処理装置１では、導電率が例えば２．５ｍＳ／ｃｍ以下の処理水ＴＷを得ることを目的としている。導電率は、二酸化炭素の含有量に起因し、二酸化炭素の含有量が多い場合には、値が高くなる。導電率が２．５ｍＳ／ｃｍ以下の被処理水を得るためには、図５に示すように、第２の逆浸透膜ユニット１３に供給される処理水のｐＨの値を８〜８．５程度に設定し、処理水に含まれる二酸化炭素の含有量を「０」に限りなく近づける必要がある。
【００３９】
そこで、本実施形態の水処理装置１では、第１の逆浸透膜ユニット１１の逆浸透膜モジュール１５によりろ過されたろ過水に水酸化ナトリウム水溶液を注入し、ろ過水の成分を変化させることで、逆浸透膜ユニット１３に供給される処理水のｐＨを８〜８．５に設定して、処理水に含まれる二酸化炭素の量を減少させている。これにより、本実施形態の水処理装置１では、導電率が２．５ｍＳ／ｃｍ以下の処理水ＴＷを得ることができる。
【００４０】
ここで、導電率が２．５ｍＳ／ｃｍ以下の処理水ＴＷを定常的に得るためには、第２の逆浸透膜ユニット１３に供給される処理水のｐＨの値が８〜８．５の範囲である必要がある。つまり、第１の逆浸透膜ユニット１１の逆浸透膜モジュール１５によりろ過されたろ過水の全体にムラなく水酸化ナトリウム水溶液を撹拌する必要がある。
【００４１】
そこで、水処理装置１では、逆浸透膜モジュール１５が接続されるヘッダ管１７に水酸化ナトリウム水溶液を注入装置３０により注入している。具体的には、注入装置３０の注入部３４は、ヘッダ管１７の上流側、すなわち閉塞部１７ａに最も近い位置に配置された枝管２４と対向する位置に設けられている。これにより、水処理装置１では、水酸化ナトリウム水溶液は、流速の遅い部分に注入され、最上流側に配置された枝管２４から流出するろ過水と衝突して撹拌されると共に、下流側に向かう間に各枝管２４から流出されるろ過水との合流により更に撹拌される。したがって、水処理装置１では、第２の逆浸透膜ユニット１３に供給するろ過水の流れ方向に対しても水酸化ナトリウム水溶液を効果的に撹拌できる。
【００４２】
また、水処理装置１では、ヘッダ管１７に水酸化ナトリウム水溶液を注入する簡易な構成により、ろ過水の流れ方向に対しても効果的に水酸化ナトリウム水溶液を撹拌できるため、例えば第１の逆浸透膜ユニット１１から排出されるろ過水を一度貯留し、その貯留したろ過水に水酸化ナトリウム水溶液を注入して撹拌させる構成を必要としない。したがって、水処理装置１では、装置の増大を回避できる。
【００４３】
本発明は、上記実施形態に限定されるものではない。図６は、他の実施形態に係る水処理装置の枝管とヘッダ管との断面構成を示す図である。図６に示すように、ヘッダ管１７内には、遮蔽板３６ａ，３６ｂ，３７が設けられている。遮蔽板３６ａ，３６ｂ，３７は、ろ過水の流れ方向に交差する面を有する板部材である。遮蔽板３６ａ，３６ｂ，３７は、注入部３４の下流側に配置されている。これにより、水処理装置１では、水酸化ナトリウム水溶液が遮蔽板３６ａ，３６ｂ，３７に衝突することにより、ろ過水の流れ方向に対しても撹拌できるため、水酸化ナトリウム水溶液とろ過水との撹拌が更に促進される。
【００４４】
図７は、他の実施形態に係る水処理装置の枝管とヘッダ管との断面構成を示す図である。図７に示すように、注入部３４は、ヘッダ管１７内に配置されると共にヘッダ管１７の閉塞部１７ａに向かって水酸化ナトリウム水溶液を注入するように開口している。具体的には、枝管３２は、閉塞部１７ａに向かって湾曲して伸びる湾曲部３８により延伸され、閉塞部１７ａに向かって注入部３４が開口するように伸びている。これにより、水処理装置１では、水酸化ナトリウム水溶液が閉塞部１７ａと衝突することにより、ろ過水の流れ方向に対しても撹拌できるため、水酸化ナトリウム水溶液とろ過水との撹拌が更に促進される。
【００４５】
図８は、他の実施形態に係る水処理装置の枝管とヘッダ管との断面構成を示す図である。図８に示すように、ヘッダ管１７Ａは、水酸化ナトリウム水溶液の注入部３４の接続部分の内径Ｄ１が、注入部３４の接続部分よりも下流側の内径Ｄ２よりも大きい（Ｄ１＞Ｄ２）。これにより、水処理装置１では、注入部３４より上流側のヘッダ管１７Ａ内の流速が、注入部３４の接続部分より下流側のヘッダ管１７Ａ内の流速に比べ遅くなるため、ろ過水の流れ方向及びこれに垂直な方向に対する撹拌をより促進させることができる。
【００４６】
上記実施形態では、水酸化ナトリウム水溶液の注入部３４は、ヘッダ管１７の最上流側に配置されているが、水酸化ナトリウム水溶液の注入部は、ヘッダ管１７におけるろ過水の流れの最下流側に接続された枝管２４の接続部分よりも上流側に設けられていればよい。
【００４７】
上記実施形態では、ヘッダ管１７の一端部が閉塞すると共に他端部が開口する構成を一例に説明したが、ヘッダ管は両端が開口する構成であってもよい。この構成の場合には、水酸化ナトリウム水溶液を上流側から注入すればよい。
【００４８】
上記実施形態では、分離膜として逆浸透膜を用いているが、分離膜は、例えば精密ろ過膜や限外ろ過膜であってもよい。
【００４９】
上記実施形態では、２つの逆浸透膜ユニット１１，１３が直列に接続された逆浸透膜ユニット群７を一例に説明したが、ユニット群は、例えば限外ろ過膜ユニットと逆浸透膜ユニットとが直列に接続されて構成されていてもよい。この構成の場合には、限外ろ過膜からなるモジュールが接続されるヘッダ管に本実施形態の構成を適用できる。本実施形態の水処理装置では、最終ろ過を行うユニットが逆浸透膜ユニットであればよい。
【００５０】
上記実施形態では、２つの逆浸透膜ユニットにより構成されているが、これに限るものではなく、２以上の逆浸透膜モジュールが各々に直列接続する構成であっても良い。この場合、少なくとも１つの逆浸透膜モジュールのヘッダ管に注入装置３０を設ければ良い。
【符号の説明】
【００５１】
１…水処理装置、１１，１３…逆浸透膜ユニット（分離膜ユニット）、１７，１７Ａ…ヘッダ管、１７ａ…閉塞部、２０…ベッセル（筒状部材）、２２…逆浸透膜エレメント、３０…注入装置（注入手段）、３４…注入部、３６ａ，３６ｂ，３７…遮蔽板（板部材）。
【図１】
2014151282.tif 000003
【図２】
2014151282.tif 000004
【図３】
2014151282.tif 000005
【図４】
2014151282.tif 000006
【図５】
2014151282.tif 000007
【図６】
2014151282.tif 000008
【図７】
2014151282.tif 000009
【図８】
2014151282.tif 000010